(57)【要約】      （修正有）【課題】知的障害者（児）等の施設において、機能の理解が出来ない知的障害者（児）等が、不必要に押しボタン式火災報知機の押しボタンを押し発信させてしまうための誤発報を防止する。【解決手段】精神障害者（児）、知的障害者（児）、痴呆性老人の利用する施設等では、職員が常時間仕切り扉の開閉のため鍵を持って勤務しており、その鍵を使用して、２タッチ発信方式（タッチ１鍵を差し込む、タッチ２発信ボタンを押し発信する）により、簡易かつ迅速に発信出来るようにした。又、鍵を常時携行しない環境の施設では、常時職員全員が非常用の鍵を携行し、同じ効果が得られるようにして不必要な発信に備え、鍵挿入口に物品の挿入を検知するためのスイッチ接触部を２カ所設け、不要な異物品挿入をブザー等で知らせ、又、挿入口で検知出来ないときは発信防止部材の移動を検知し、ブザー等を鳴らして異常を知らせ、誤発報を未然に防止する。【選択図】図１
2006024173.tif 000002
【特許請求の範囲】
【請求項１】
押しボタン式火災報知機の一部に鍵挿入口を設け、鍵挿入部に鍵状鉄板片や鍵等を使用して、押しボタン式火災報知機の押しボタンスイッチを、使用可能な状態にして発信用押しボタンを押して発信する、押しボタン式火災報知機の発信機。
【請求項２】
押しボタン式火災報知機の、発信用押しボタンと発信用押しボタンの取付板の間に、たとえば、折り曲げ加工した板バネを移動可能な状態で配置し、鍵状鉄板片や手持ちの鍵等を用いて、折り曲げ加工された板バネを移動させなければ、火災報知機の発信用押しボタンを押し込むことが出来ない、精神障害者（児）施設、知的障害者（児）施設、痴呆性老人施設等で、行動に問題のある人たちが利用する諸施設で使用する、押しボタン式火災報知機。
【請求項３】
押しボタン式火災報知機の、発信用押しボタンと発信用押しボタンの取付板の間隙に、プラスチックや金属、その他の材料を移動可能な状態に成形して配置し、鍵状鉄板片や手持ちの鍵を用いて、成形されて配置されている物体を移動させなければ、火災報知機の発信用押しボタンを押し込むことが出来ない、精神障害者（児）施設、知的障害者（児）施設、痴呆性老人施設等で、行動に問題のある人たちが利用する諸施設で使用する諸施設で使用する、押しボタン式火災報知機。
【請求項４】
鍵挿入口部分を組み替え式にして、普段使用する鍵の高さ、厚さに挿入口を調整出来る、鍵挿入口調整機能付きの、押しボタン式火災報知機の発信機。
【請求項５】
鍵挿入口部に物品挿入を検知するためのスイッチを設け、鍵挿入口に物品が挿入されたことを検知し、ブザー等を鳴らせて警告を発し知らせる、発報前警報付きの、押しボタン式火災報知機の発信機。
【請求項６】
折り曲げ加工された板バネやプラスチック、金属、その他材料で成形され発信防止部材が定められた位置から移動したとき、移動を検知するために設けた移動検知スイッチが移動を検知し、発信防止部材が移動したことを、ブザー等を鳴らせて警告を発し知らせる、発報前警報付きの、押しボタン式火災報知機の発信機。
【発明の詳細な説明】
【発明の詳細な説明】
【技術分野】
【０００１】  本発明は押しボタン式火災報知機の、機能の理解が困難な利用者が利用する諸施設で、故意に依らない誤発信を防止し、火災等の発生時には職員が手持ちの鍵等を使用して、簡易に押しボタン式火災報知機の、押しボタンを押すことで発信することは出来るが、利用者が類以した鍵等の物品を鍵挿入口に挿入した時は、鍵挿入口部に設けた検知スイッチが挿入されたことを検知しブザー等で警報を発し、また発信用押しボタンを押して発信することが可能になった時も、ブザー等で警報を発して知らせることで誤発信を未然に防止することを特徴とする、押しボタン式火災報知機の発信機であり、主として精神障害者（児）施設、知的障害者（児）施設、痴呆性老人施設等で、行動に障害のある人たちが利用する施設に設置するものである。
【背景技術】
【０００２】  精神障害者（児）施設、知的障害者（児）施設、痴呆性老人施設等で、行動に障害のある人たちが利用する施設の設備も、一般と同じような設備構造になっており、行動に障害のある人たちの障害の特殊性等を考慮して作られた、押しボタン式火災報知機は見あたらない。
【発明が解決しようとする課題】
【０００３】  利用者が無用に、押しボタン式火災報知機の押しボタン押し、誤発報を繰り返すために、受信機側で回路を遮断して非常警報装置が、作動しないようにしなければならない施設があるため、誤発報を出来なくし、発信が必要な際は簡易に発信が出来るようにする。
常に誤発報を繰り返すと、警報設備への信頼度が低下し、実際の火災等が発生した場合に非常警報への信頼度が低いために、迅速な行動が取れず避難行動の遅れ等が発生するなど、防災上に支障をきたすため、誤発報を、無くして警報の信頼度を高める。
行動に障害のある人たちが利用する施設では、施設利用者の中に、押しボタン式火災報知機の、機能の理解が困難な人もいるため、故意に依らず無糖に押しボタン式火災報知機の押しボタンを押してしまい、誤発報が発生すると通報システムが、消防署等へ直接に接続されているため、誤発報を減少させ火災通報の正確度を向上させる。
また、誤発報が発生した施設では、施設内全域で実際に火災等が発生していないか、点検、確認しなければならないため、施設で誤発報を発生させると施設の経済的損失は、多大であるため誤発報を無くする。
【課題を解決するための手段】
【０００４】  精神障害者（児）施設、知的障害者（児）施設、痴呆性老人施設等では、間仕切り扉の施解錠のため、職員の全員が勤務中は、鍵を必ず携行しなければ勤務出来ないので、鍵を常時必ず携行しているため、その手持ちの鍵を使用して簡易に、発信防止部材を移動させ、発信押しボタンを押し発信することが、出来るようにした。
鍵挿入口に挿入検知スイッチを取付け、無用に鍵の挿入部に何らかの物品を挿入された時は、挿入検知スイッチが挿入を検知しブザーで警報を発し、また、移動検知スイッチが発信防止部材の移動を検知すると、ブザーで警報を発して警告し無用の発信を未然に防ぎ、誤発信につながらないようにした。
【発明の効果】
【０００５】  誤発報を無くすことにより、警報発報の際の信頼度が高まり、迅速かつ正確な避難行動がとれるので、防災上の安全性が向上する。
誤発報による、消防署等関係機関の不要な作業が減少し、経済的効果がある。
施設等で誤発報が発生すると、実際に火災等が発生していないかの、点検、安全確認のための後処理作業が必要とされるため、誤発報が無くなれば、大きな経済的効果がある。
誤発報が多発するため、回線を遮断しなければならない施設等では、飛躍的に防災上の安全が向上し確保される。
【発明を実施するための最良の形態】
【０００６】  図１は本発明の正面図、図２は同、側面図、図３は発信防止部材２の、形状の説明図であり、
発信ボタン取付板１７に配置された発信防止部材２の上部を、報知機カバー１に設けた発信防止部材復帰用穴４に復帰用金具５を差し込み、下限ストッパー１８に当たるまで押し下げて、鍵状鉄板片８、手持ちの鍵等を使用しなければ発信出来ない状態で使用する。【０００７】  発信する時は、報知機カバー１に設けた鍵挿入口１０より鍵状鉄板片８を挿入し、鍵当たり部９を押し込むと発信防止部材２が、発信防止部材下部ガイド左７、発信防止部材下部ガイド右７ａ、発信防止部材ガイド左３、発信防止部材ガイド右３ａ、発信防止部材誘導板左１４、発信防止部材誘導板右１４ａに沿って上方に移動し、発信防止部材２の押し込み防止部分１９がともに上方に移動するため、押しボタン１３を押し込む範囲内の障害がなくなり、発信用押しボタン１３を押して発信することが出来る状態になり、発信用押しボタン１３を強く押し込み発信出来る。【０００８】  発信防止部材２は図３で示すように、垂直並行部左３２と垂直並行部右３２ａは、復帰金具当たり部５ｂを中心に並行より、下方で開いた形状であるため、発信防止部材下部ガイド左７、発信防止部材下部ガイド右７ａに発信防止部材２の有する反発力で、発信防止部材２の摩擦係止部左３１、摩擦係止部右３１ａが摩擦係止し、発信防止部材２を移動させるために挿入した、鍵状鉄板片８や手持ちの鍵を鍵挿入口１０より引き抜いても、発信防止部材２は移動しない。【０００９】  無用な発信を防止するため、鍵挿入口１０に挿入検知スイッチ１２ａを取付け、無用に鍵挿入口１０より何らかの物体を挿入した時は、挿入検知スイッチ１２ａが挿入されたことを検知して警報ブザー１６を鳴らせて警報を発し、発信防止部材２が移動した場合も、移動検知スイッチ１２が発信防止部材２の移動を検知して、警報ブザー１６を鳴らせて警報を発し知らせることで、誤発信を防止する。【００１０】図４は、調整式鍵挿入部１１の説明図であり
鍵状鉄板片８や手持ちの鍵をスムーズに挿入するために、調整式鍵挿入部下板１１ａの上に、使用する鍵に適合する厚さの、調整式鍵挿入部中板上１１ｂ及び調整式鍵挿入部中板下１１ｃを、調整用長穴１１ｅを利用して、使用する鍵の巾に合わせて位置を決め、調整式鍵挿入部上板１１ｄをその上に重ねてビスで固定することで、不特定の手持ちの鍵等を使用してスムーズに発信防止部材２を移動させることが出来、かつ、どのような鍵にも対応するための手段である。【００１１】  図５は、発信防止部材２の押し込み防止部分１９と発信用押しボタン１３の、作動位相関係と、一連の作動を示す説明図であり、
「ステップ１」
発信部材取付板１７に配置された発信防止部材２は、下限ストッパー１８の位置にあり発信防止部材２の押し込み防止部分１９が、発信用押しボタン１３と発信部材取付板１７の間の位置にあるため、火災報知機の押しボタンスイッチを押し込むことが出来ないため、押しボタン式火災報知機は作動しない。
「ステップ２」
火災等の発生等で、押しボタン式火災報知機を使用するときは、報知機カバー１に設けられた鍵挿入口１０に、鍵状鉄板片８または手持ちの鍵等を挿入しようとすると、挿入検知スイッチ１２ａが挿入を検知して警報ブザー１６を鳴らし警報を発し挿入を知らせる、さらに調整式鍵挿入部１１を通過して挿入すると、発信防止部材２の鍵当たり部９を押すと、発信防止部材２は発信防止部材下部ガイド左７、発信防止部材下部ガイド右７ａ、発信防止部材ガイド左３、発信防止部材ガイド右３ａ、発信防止部材誘導板左１４、発信防止部材誘導板右１４ａに沿って、上方へ移動をはじめ移動検知スイッチ１２が、鍵状鉄板片８または手持ちの鍵等の挿入、及び発信防止部材２の移動を検知して警報ブザー１６を鳴り警報を発し知らせる。
「ステップ３」
さらに鍵状鉄板片８または手持ちの鍵を挿入して、発信防止部材２を発信防止部材ガイド左３、発信防止部材ガイド右３ａの下部に当たるまで押し上げると、発信用押しボタン１３と発信部材取付板１７の間で障害になっていた、押し込み防止部分１９もともに上方に移動し障害がなくなり、発信用押しボタン１３が使用出来る状態になり、発信用押しボタン１３を強く押し込み発信する
「ステップ４」
鍵状鉄板片８、または手持ちの鍵等を挿入して発信防止部材２を押し上げ、鍵状鉄板片８または手持ちの鍵を引く抜いた後も、発信防止部材２は発信防止部材２本体の持つ反発力で、発信防止部材２の摩擦係止部左３１、摩擦係止部右３１ａが発信防止部材誘導板左１４、発信防止部材誘導板右１４ａに摩擦係止し、発信防止部材２は移動しない。
「ステップ５」
発信通報後の復帰は、報知機カバー１前面に設けた発信防止部材復帰用穴４に、復帰金具５を挿入し、復帰金具先端部５ａを発信防止部材２の上部に設けた復帰金具当たり部５ｂにあてがい、発信防止部材２を下方へ移動さる
「ステップ６」
正常な位置に発信防止部材２が復帰すると、発信防止部材２の一部が移動検知スイッチ１２を押し、回路が遮断されるため警報ブザー１６の警報は鳴り止み、元の位置に復帰したことを、警報ブザー１６が鳴り止むことで知らせる。
【図面の簡単な説明】
【図１】  本発明装置の正面図
【図２】  ａ  同、左側面図  ｂ  同、右側面図
【図３】  ａ  本発明に係る、発信防止部材の形状の説明図  ｂ  同、プラスチック材料等を使用した場合の形状の説明図
【図４】  ａ  本発明に係る、調整式鍵挿入部の分解説明図  ｂ１〜ｂ４は調整式鍵挿入部の組み合わせ説明図
【図５】  本発明に係る、発信防止部材の押し込み防止部分と発信用押しボタンの、作動位相関係と、一連の作動を示す説明図
【符号の説明】
１  報知機カバー    ２  発信防止部材    ２ａ  復帰金具当たり部
３  発信防止部材ガイド左    ３ａ  発信防止部材ガイド右
４  発信防止部材復帰用穴    ５  復帰金具    ５ａ  復帰金具先端部
７  発信防止部材下部ガイド左    ７ａ  発信防止部材下部ガイド右
８  鍵状鉄板片    ９  鍵当たり部    １０  鍵挿入口    １１  調整式鍵挿入部
１１ａ  調整式鍵挿入部下板    １１ｂ  調整式鍵挿入部中板上
１１ｃ  調整式鍵挿入部中板下    １１ｄ  調整式鍵挿入部下板
１１ｅ  調整用長穴    １２  検知スイッチ    １２ａ  挿入検知スイッチ
１２ｂ  挿入検知スイッチローラー部    １３  発信用押しボタン
１４  発信防止部材誘導板左        １４ａ  発信防止部材誘導板右
１５  発信押しボタン支点    １６  警報ブザー    １７  発信部材取付板
１８  下限ストッパー    １９  押し込み防止部分    ２１  発信スイッチ
２２  乾電池    ３１  摩擦係止部左    ３１ａ  摩摩擦係止部右
３２  垂直並行部左    ３２ａ  垂直並行部右    ３３  プラスチック等の発信防止部材
【図１】
2006024173.tif 000003
【図２】
2006024173.tif 000004
【図３】
2006024173.tif 000005
【図４】
2006024173.tif 000006
【図５】
2006024173.tif 000007